(57)【要約】特に扁平リボンケーブルを支持プレート（４）に保持しかつ／または固定するための装置はベースプレート（１）を有しており、該ベースプレート（１）からは、２つの弾性的に拡開可能な突出部（１３，１３′）が垂直に突出しており、両突出部（１３，１３′）の端部は、３つの部分から成るウェブ（１６）によって互いに結合されており、該ウェブ（１６）の全長は、前記両突出部（１３，１３′）の間の相互間隔よりも大きく形成されており、前記ウェブ（１６）を形成する３つの部分（１７，１７′，１８）は相互にかつ前記両突出部（１３，１３′）の端部にそれぞれヒンジ状に結合されている。当該装置は解離位置と閉鎖位置とを占めるようになっており、解離位置ではベースプレート（１）が前記ウェブ（１６）によってアーチ屋根状に跨がれており、閉鎖位置では前記ウェブ（１６）の中央部分（１８）がベースプレート（１）に載置されている。ベースプレート（１）は、支持プレート（４）に固定するための２つの端区分（２，２′）と、前記支持プレート（４）もしくは前記支持プレート（４）に固定したい扁平リボンケーブルに載着させることのできる中央区分（５）とから成っている。前記ウェブ（１６）の中央部分（１８）には、下方へ突出した係止フック（２１，２１′）が設けられており、該係止フック（２１，２１′）は当該装置の閉鎖位置で、ベースプレート（１）に設けられた係合穴（１１）に係合する。これによって、当該装置を閉鎖位置に確実にロックすることができる。必要に応じて、工具を用いて係合を再び解除することができる。
2004512790.tif 000002
【特許請求の範囲】
【請求項１】
扁平な対象物、特に扁平リボンケーブルを支持プレート（４）に保持しかつ／または固定するための装置であって、ベースプレート（１）が設けられていて、該ベースプレート（１）から、互いに相互間隔を置いて配置された２つの弾性的に拡開可能な突出部（１３，１３′）が垂直に突出しており、両突出部（１３，１３′）の端部が、３つの部分から成るウェブ（１６）によって互いに結合されており、該ウェブ（１６）の全長が、前記両突出部（１３，１３′）の間の相互間隔よりも大きく形成されており、前記ウェブ（１６）を形成する３つの部分が相互にかつ前記両突出部（１３，１３′）の端部にそれぞれヒンジ状に結合されていて、当該装置が解離位置と閉鎖位置とを占めるようになっており、解離位置ではベースプレート（１）が前記ウェブ（１６）によってアーチ屋根状に跨がれており、閉鎖位置では前記ウェブ（１６）の中央部分がベースプレート（１）に載置されている形式のものにおいて、ベースプレート（１）が、支持プレート（４）に固定するための２つの端区分（２，２′）と、前記支持プレート（４）に載着可能な中央区分（５）とから成っており、前記ウェブ（１６）の中央部分（１８）に、下方へ突出した係止手段（２１，２１′）が設けられており、該係止手段（２１，２１′）が、ベースプレート（１）に設けられた係合穴（１１）に係合可能であることを特徴とする、扁平な対象物を保持しかつ／または固定するための装置。
【請求項２】
ベースプレート（１）の中央区分（５）の両長辺側の側部に、斜め下方へ向かって突出した支持ストリップ（６，６′）が一体成形されており、該支持ストリップ（６，６′）の長手方向縁部（７）が、ベースプレート（１）の中央区分（５）の下縁部（８）を超えて突出している、請求項１記載の装置。
【請求項３】
ベースプレート（１）の中央区分（５）に、中央のＵ字形ブラケット（１０）が設けられており、該Ｕ字形ブラケット（１０）を貫いて、前記ウェブ（１６）の中央部分（１８）から下方へ突出した係止フック（２１，２１′）のための係合穴（１１）が貫通している、請求項１記載の装置。
【請求項４】
側方の両支持ストリップ（６，６′）の中央に、長手方向に延びる各１つの長孔（９，９′）が設けられており、該長孔（９，９′）を通じて前記係合穴（１１）の下側の開口が工具によって接近可能である、請求項２記載の装置。
【請求項５】
Ｕ字形ブラケット（１０）が、ベースプレート（１）の中央区分（５）の上側に設けられた中央の膨出部（１０′）と、ベースプレート（１）の中央区分（５）の下側に設けられた、対応する没入部（１２）とによって形成されている、請求項３記載の装置。
【請求項６】
ベースプレート（１）の両端区分（２，２′）にそれぞれ１つの貫通孔（３，３′）が設けられており、該貫通孔（３，３′）の直径および相互間隔が、支持プレート（４）に配置された２つのピン（２２，２２′）の直径および相互間隔に相当しており、当該装置を前記支持プレート（４）に固定するために前記貫通孔（３，３′）が前記ピン（２２，２２′）に被せ嵌め可能である、請求項１記載の装置。
【請求項７】
支持プレート（４）に配置されたピン（２２，２２′）が、刻み目および／またはリブ付け部を備えており、ベースプレート（１）から突出した突出部（１３，１３′）の端部が、側方へ向かって斜めに尖った外縁部（１４，１４′）を有しており、該外縁部（１４，１４′）が、前記貫通孔（３，３′）の位置する範囲にまで突入しており、前記ウェブ（１６）の中央部分（１８）が押し下げられると前記突出部（１３，１３′）が拡開することにより、前記突出部（１３，１３′）の前記外縁部（１４，１４′）が、前記ピン（２２，２２′）に設けられた刻み目および／またはリブ付け部に係合可能である、請求項６記載の装置。
【発明の詳細な説明】
【０００１】
本発明は、扁平な対象物、特に扁平リボンケーブル（Ｆｌａｃｈｂａｎｄｋａｂｅｌ）を支持プレートに保持しかつ／または固定するための装置であって、ベースプレートが設けられていて、該ベースプレートから、互いに相互間隔を置いて配置された２つの弾性的に拡開可能な突出部が垂直に突出しており、両突出部の端部が、３つの部分から成るウェブによって互いに結合されており、該ウェブの全長が、前記両突出部の間の相互間隔よりも大きく形成されており、前記ウェブを形成する３つの部分が相互にかつ前記両突出部の端部にそれぞれヒンジ状に結合されていて、当該装置が解離位置と閉鎖位置とを占めるようになっており、解離位置ではベースプレートが前記ウェブによってアーチ屋根状に跨がれており、閉鎖位置は前記ウェブの中央部分がベースプレートに載置されている形式のものに関する。
【０００２】
扁平リボンケーブルでは、多数の導電路の接続部が同一平面で相並んで、電気的に絶縁性の薄い支持層に被着されている。これらの扁平リボンケーブルは支持プレート、たとえば自動車のボディ部分に、予め確定された特定の軌道に沿って極めてスペース節約的に布設され得る。この場合、扁平リボンケーブルを支持プレートに沿って互いに間隔をおいて固定することが必要となる。
【０００３】
フランス国特許第１５９３６２６号明細書に基づき、扁平な対象物を保持するために、あるいはまた扁平な対象物を支持体に固定するために考案された装置が公知である。この公知の装置はベースプレートを有していて、このベースプレートには、２つのＬ字形の脚部が互いに鏡像対称的でかつ相互間隔を置いて固定されている。両脚部の突出した端部は、３つの部分から成るウェブによって互いに結合されており、この場合、このウェブの全長は両脚部の間の相互間隔よりも大きく形成されており、そしてウェブを形成する３つのプレート状の部分は互いにかつ脚部端部にそれぞれヒンジ状に結合されているので、これらのウェブ部分は互いに対してかつ脚部に対して、これらの結合部を中心とした旋回運動を実施することができる。この公知の装置は開いた位置と閉鎖された位置とを占めることができる。この場合、開いた位置ではウェブの両側方部分がＬ字形の脚部と共に鈍角の角度を成していて、ウェブの中央部分と共に、脚部端部を起点としてベースプレートにアーチ屋根状に跨っている。それに対して、閉鎖された位置では、ウェブの両側方部分が、Ｌ字形の脚部と共に鋭角の角度を成していて、ウェブの中央部分が、応力をかけられてベースプレートに載置されている。ベースプレートには、支持体に固定するための手段を設けることができる。ベースプレートとウェブ中央部分との間に、扁平な対象物を緊締することができる。この場合、この装置の開かれた状態で対象物がベースプレートに載置され、引き続き、ウェブの、互いに枢着結合された部分を押圧することによってウェブの中央部分が対象物に載置される。
【０００４】
前記フランス国特許明細書には、上記装置がたとえばズボン用ハンガとして使用されることが記載されている。本発明により優先的に追求される目的、つまり支持プレート、特に自動車のボディ部分に、扁平リボンケーブルを固定するという目的のためには、上記公知の装置は最適であるとは云えない。上記公知の装置は、たとえば振動および／または材料疲労により自動的に開放してしまう恐れがあるので、固定または保持が不本意に解除されてしまう。このことは、通常行われているように上記装置が、接近し難い個所または自動車の製造後に事実上もはや接近することのできない個所に取り付けられる場合に特に不都合となる。さらに、ウェブの中央部分がベースプレートに、もしくはウェブの中央部分とベースプレートとの間に位置する対象物に、面状に載置されることにより、押圧力が減じられており、ひいては確実な保持が弱められている。さらに、ベースプレートの中央に配置されたねじを用いて前記装置を支持体に固定するという、付随的に提案された固定形式も満足し得るものではない。なぜならば、このねじが、固定したい対象物に対して妨害作用を及ぼすからである。特に対象物が扁平リボンケーブルである場合には、扁平リボンケーブルが損傷を受ける恐れがある。
【０００５】
本発明の課題は、特に扁平リボンケーブルの、支持プレートにおける永続的に確実な保持および固定を可能にするような装置を提供することである。すなわち、当該装置の自発的な弛みは不可能でなければならない。この場合、当該装置は僅かな操作によって手軽にかつ迅速に取り付けられ、かつ閉鎖されるか、もしくは再開放され得なければならず、しかも紛失可能な部品を有しないことが望まれる。扁平リボンケーブルの損傷危険が排除されていなければならない。
【０００６】
このことは本発明によれば、ベースプレートが、支持プレートに固定するための２つの端区分と、前記支持プレートもしくはこの支持プレートに固定したい扁平な対象物に載着可能な中央区分とから成っており、前記ウェブの中央部分に、下方へ突出した係止手段が設けられており、該係止手段が、ベースプレートに設けられた係合穴に係合可能であることにより達成される。係止手段、有利には下方へ向かって突出した係止フックを係合穴内にスナップイン式に係止させることによって、当該装置はその閉鎖位置に確実に保持され、この閉鎖位置からの自発的な解離は不可能となる。固定手段を側方に配置することにより、扁平リボンケーブルまたはその他の扁平な対象物における損傷の危険は排除される。
【０００７】
ベースプレートの中央区分の長辺側の側部に、斜め下方へ向かって突出した支持ストリップが一体成形されており、該支持ストリップの長手方向縁部が、ベースプレートの中央区分の下縁部を超えて突出していると有利である。当該装置と支持プレートとの間に位置する、支持プレートに固定したい扁平リボンケーブルまたはその他の扁平な対象物に載置される当該装置の載置面が支持ストリップを介して減じられることにより、圧着力が高められ、ひいては一層確実な保持が達成される。
【０００８】
ベースプレートの中央区分には中央のＵ字形ブラケットが設けられていて、該Ｕ字形ブラケットを貫いて、ウェブの中央部分から下方へ突出した複数の係止フックのための係合穴が貫通していると有利である。Ｕ字形ブラケットは、ベースプレートの中央区分の上側に設けられた中央の膨出部と、ベースプレートの中央区分の下側に設けられた、対応する没入部とによって形成されていてよい。
【０００９】
側方の両支持ストリップの中央には、長手方向に延びる各１つの長孔が設けられており、該長孔を通じて前記係合穴の下側の開口が工具によって接近可能であると有利である。すなわち、この場合には、長孔を通じて係合穴の下側にまで工具を直接に到達させることができる。こうして、必要に応じて、係合穴内での係止フックの係合を解除し、ひいては扁平リボンケーブルの固定を再び解離することができる。この場合、当該装置は無傷のまま維持されるので再使用可能となる。
【００１０】
当該装置を支持プレートに固定するためには、ベースプレートの両端区分にそれぞれ１つの貫通孔が設けられていると有利である。この場合、貫通孔の直径および相互間隔は、支持プレートに配置された２つのピンの直径および相互間隔に相当しており、そして当該装置を前記支持プレートに固定するために前記貫通孔は前記ピンに被せ嵌められる。
【００１１】
支持プレートに配置された前記ピンが、刻み目および／またはリブ付け部を備えており、ベースプレートから突出した突出部の端部が、側方へ向かって斜めに尖った外縁部を有しており、該外縁部が、前記貫通孔の位置する範囲にまで突入していると有利である。前記ウェブの中央部分が押し下げられると前記突出部が拡開することにより、前記突出部の前記外縁部が、前記ピンに設けられた刻み目および／またはリブ付け部に係合し、これにより付加的に固定が確保される。
【００１２】
以下に、本発明の実施例を図面につき詳しく説明する。
【００１３】
図示の装置は、方形の細長いベースプレート１を有している。このベースプレート１の両端区分２，２′は、支持プレート４（図５参照）に固定するための各１つの貫通孔３，３′を有している。ベースプレート１の、両貫通孔３，３′の間に位置する中央区分５からは、側方で斜め下方へ向かって支持ストリップ６，６′が突出している。両支持ストリップ６，６′の自由な長手方向縁部７は、小さな寸法分だけベースプレート１の下縁部８を超えて突出している。両支持ストリップ６，６′は中央に、長手方向に延びるそれぞれ１つの長孔９，９′を有している。ベースプレート１の中央区分５の上側では、中央に、長手方向に延びる１つのＵ字形ブラケット１０が設けられており、このＵ字形ブラケット１０はその中央に、貫通した係合穴１１を有している。Ｕ字形ブラケット１０は、たとえば中央区分５の上面に設けられた中央の膨出部１０′により形成されていてよい。この膨出部１０′には、下側に設けられた没入部１２が対応している。Ｕ字形ブラケット１０の下面もしくは没入部１２に位置する係合穴１１の開口へは、両支持ストリップ６，６′に設けられた長孔９，９′を通じて器具または工具を用いて到達可能である。
【００１４】
ベースプレート１の両端区分２，２′から中央区分５への移行部では、ベースプレート１の上側に垂直な各１つの突出部１３，１３′が一体成形されている。両突出部１３，１３′の上端部は、側方に延びる尖った先端を有する外縁部１４，１４′を有しており、これらの外縁部１４，１４′は小さな寸法分だけベースプレート１の貫通孔３，３′を超えて突出している。両突出部１３，１３′は、ベースプレート１の中央区分５をアーチ屋根状に跨いでいるウェブ１６によって互いに結合されている。このウェブ１６は２つの側方部分１７，１７′と１つの中央部分１８とから成っており、これらの部分は互いにヒンジ状に結合されているか、もしくは両側方部分１７，１７′は片側で突出部１３，１３′の上端部１５，１５′にヒンジ状に結合されている。全てのウェブ部分１７，１７′，１８はプレート状に形成されており、ヒンジ１９，１９′；２０，２０′は、各移行部に設けられた材料薄肉化部、つまり「膜ヒンジ」として形成されていてよい。ウェブ１６の中央部分１８はベースプレート１に対して平行に延びており、両側方部分１７，１７′は、中央部分１８と両突出部１３，１３′との間に鏡像対称的に斜めに延びている。中央部分１８の下面には、下方へ向けられかつ鏡面対称的に互いに離れる方向に向けられた係止フック２１，２１′が一体成形されている。
【００１５】
上で説明した装置を用いて扁平な対象物、たとえば扁平リボンケーブルを支持プレート４に固定できるようにするためには、この支持プレート４に、図５に示したように固定部位でそれぞれ２つのピン２２，２２′が相互間隔を置いて載設されている。この相互間隔は、ベースプレート１の両端区分２，２′に設けられた両貫通孔３，３′の間隔に相当している。前記ピン２２，２２′の周面はリブ付け部および／または刻み目を有している。固定したい扁平な対象物、つまりこの有利な実施例では扁平リボンケーブルは、まず両ピン２２，２２′の間を通って支持プレート４に載置される。その後に、上で説明した装置が側方の貫通孔３，３′によってピン２２，２２′に被せ嵌めら、その結果、支持ストリップ６，６′が扁平リボンケーブルを支持プレート４にしっかりと圧着させる。この場合、両突出部１３，１３′の外縁部１４，１４′はまず弾性的に軽度に曲げ戻される。引き続き、ウェブ１６の中央部分１８が下方へ押圧され、これにより、この中央部分１８から下方へ突出した係止フック２１，２１′が、ベースプレート１の中央区分５に設けられたＵ字形ブラケット１０の係合穴１１内に係合して、この係合穴１１内にスナップ式に係止される。ウェブ１６の全長は両突出部１３，１３′間の間隔よりも大きいので、両突出部１３，１３′は外方へ向かって押圧され、これにより、先端の尖った外縁部１４，１４′がピン２２，２２′に押圧されて、ピン２２，２２′に設けられたリブ付け部または刻み目内に係合する。このときに、扁平リボンケーブルは支持ストリップ６，６′によって支持プレート４にしっかりと圧着されかつ固持され、この場合、支持ストリップ６，６′の小さな接地面に基づき、押圧力は公知の装置に比べて高められている。係止フック２１，２１′が係合穴１１内に係合しかつ外縁部１４，１４′がピン２２，２２′に係合することにより、当該装置はこの位置に二重にロックされかつ確実に保持されるので、この位置からの自発的な解離は不可能となる。
【００１６】
扁平リボンケーブルまたはその他の扁平な対象物をこの固定部から解離することが必要になった場合には、支持ストリップ６，６′に設けられた両長孔９，９′のうちの１つを通じて工具を挿入して、係合穴１１における係止フック２１，２１′の係合を解離することができるので、ウェブ１６は再び、ベースプレート１の中央区分５にアーチ屋根状に跨った位置を占めることができ、これによって当該装置を持ち上げることができる。このときに、当該装置は損傷を受けずに無傷のままとなるので、当該装置は問題なく再使用され得る。係合穴１１内における係止フック２１，２１′のロック係合に基づき、当該装置を複数回再使用した後でも、かつ場合によって生じる材料疲労にもかかわらず、扁平リボンケーブルまたはその他の扁平な対象物の確実な保持が保証されている。
【図面の簡単な説明】
【図１】
本発明による装置の斜視図である。
【図２】
図１に示した装置の長辺側の正面図である。
【図３】
図１に示した装置の側面図である。
【図４】
図１に示した装置の平面図である。
【図５】
図２に示した装置を、支持プレートに最終的に組み付けられかつ緊定された状態で示す概略図である。
【符号の説明】
１　ベースプレート、　２，２′　端区分、　３，３′　貫通孔、　４　支持プレート、　５　中央区分（ベースプレート）、　６，６′　支持ストリップ、　７　長手方向縁部、　８　下縁部、　９，９′　長孔、　１０　Ｕ字形ブラケット、　１０′　中央膨出部、　１１　係合穴、　１２　没入部、　１３，１３′　突出部、　１４，１４′　外縁部、　１５，１５′　上端部、　１６　ウェブ、　１７，１７′　側方部分（ウェブ）、　１８　中央部分（ウェブ）、　１９，１９′；２０，２０′　膜ヒンジ、　２１，２１′　係止フック、　２２，２２′　ピン
【国際公開パンフレット】
2004512790.tif 000003
2004512790.tif 000004
2004512790.tif 000005
2004512790.tif 000006
2004512790.tif 000007
2004512790.tif 000008
2004512790.tif 000009
2004512790.tif 000010
2004512790.tif 000011
2004512790.tif 000012
2004512790.tif 000013
2004512790.tif 000014
【国際調査報告】
2004512790.tif 000015
2004512790.tif 000016
2004512790.tif 000017
2004512790.tif 000018